(57)【要約】      （修正有）【課題】対向する側板間内に真空中空で天部の肩部を曲面構造としたカプセルを多数配設し、音がカプセルの曲面肩部をを経ることで音の伝達距離を長くして伝播する音の減衰度合いをより向上させるとともに上記曲面構造をシェル構造とすることで外力に対して潰れて変形することのない真空パネルを提供する。【解決手段】対向する側板間内部に、内部が真空中空でカプセル１を構成する天部を曲面構造８とし、配設されたカプセル１を互いの隣接するカプセルの枠部５同士が接するように縦横に多数配設されている真空パネル１０。【選択図】              図５
2004162403.tif 000002
【特許請求の範囲】
【請求項１】
対向する側板間に真空で中空の筐体（カプセル）を多数隣接して配設したことを特徴とする防音パネル。
【請求項２】
対向する側板間に両面が曲面構造を有し内部が真空で中空の筐体（カプセル）を多数隣接して配設したことを特徴とする防音パネル。
【請求項３】
前記筐体（カプセル）を曲面である天部と枠部とで構成したことを特徴とする請求項１に記載の防音パネル。
【請求項４】
前記曲面である天部の頂点部は対向する側板の内面と点または線で接していることを特徴とする請求項１に記載の防音パネル。
【請求項５】
前記曲面である天部の曲面は楕円放物シェル構造であることを特徴とする請求項１に記載の防音パネル。
【請求項６】
前記曲面である天部の曲面は球面構造であることを特徴とする請求項１に記載の防音パネル。
【請求項７】
前記曲面である天部の曲面は円筒形構造であることを特徴とする請求項１に記載の防音パネル。
【請求項８】
前記筐体（カプセル）の曲面である天部と枠部は金属製であることを特徴とする請求項１から７のいずれかに記載の防音パネル。
【請求項９】
前記筐体（カプセル）の曲面である天部と枠部は合成樹脂製であることを特徴とする請求項１から７のいずれかに記載の防音パネル。
【発明の詳細な説明】
【０００１】
【発明の属する技術分野】
本発明は、建築パネル、道路側の防音壁、冷蔵庫や各種機器等の筐体（カプセル）のパネル、自動車の屋根パネルなどに使用されるパネルの内部に真空で中空の筐体（カプセル）を多数配設した防音パネルに関するものである。
【０００２】
【従来の技術】
【特許文献１】
特許第３１２８５５２号公報、
住居環境への関心の高まりから、道路走行中の自動車騒音、楽器の音など身の回りに発生する騒音を吸収あるいは遮断する吸音板からなる防音パネルや、騒音発生源から発生する騒音が外部に拡散することを防ぐために、防音パネルで囲堯することが行われている。
【０００３】
従来、音の伝播を遮断する防音パネルとして、▲１▼パネル内に重量のある部材を収納・挟持又は粒材等を混練することにより、総重量を増加させて音のエネルギーを減少させて音を遮蔽する方式、▲２▼パネル内に音エネルギーを吸収するガラス・ロックウールなどの繊維体や発泡樹脂体を中空のパネル内に充填して音のエネルギーを減少させる方式、▲３▼音エネルギー伝播率の異なる材質を幾層にも積層することにより音のエネルギーを減少させる方式、▲４▼パネル内に空気層を介装することにより音のエネルギーを減少させる方式、▲５▼パネル内に真空部を設けることにより音のエネルギーを減少させる方式、▲６▼前記▲１▼〜▲５▼の方式を適宜組合せることにより音のエネルギーを減少させる方式等の方式による防音パネルがあり、このように構成されたパネルは、建物の壁体・天井、防音ドア、防音壁、各種機器の筐体（カプセル）のパネル、自動車の車体パネル等に利用されている。
【０００４】
そして、パネル内に真空部を設けた防音パネルとして、特許第３１２８５５２号公報に開示された真空パネルは、一定の高さで連続して曲折した細幅板又は線材を所定の間隔に配して間隔保持材１３とし、相対する外板１１、１２間に挟持して周囲を密封材１４により密封した防音防振用の真空パネル１０であり、この真空パネル１０は、間隔保持材１３にバネのように弾性を持たせることにより、空気音のみだけでなく衝撃による振動を同時に吸収する、と云うものである。
【０００５】
【発明が解決しようとする課題】
前記の真空パネルは、相対する外板間に間隔保持材として連続して曲折した細幅板を挟持し、この間隔保持材としての細幅板にバネのように弾性を持たせて音による振動エネルギーを吸収させるものであるが、相対する外板は細幅板を間隔保持材として挟持しているので、音源側の外板に到達した音による振動エネルギーは、音源側の外板−間隔保持材である細幅板−受音側の外板と伝播する。しかしながら、相対する外板間に挟持され弾性を有するとは云え間隔保持材である細幅板の幅は短いので、音源側の外板から受音側の外板への音による振動エネルギーの伝播距離も短くなり、振動エネルギーが間隔保持材での減衰度は低く、防音防振用の真空パネルとしての機能を十分に発揮してはいない。
【０００６】
そこで、本発明は、上述した課題によりなされたもので、対向する側板間内に真空で中空で天部の肩部を曲面構造とした筐体（カプセル）を互いの隣接する筐体（カプセル）の枠部同士が接するように多数配設し、音が筐体（カプセル）の曲面の肩部を経ることで音の伝達距離を長くして伝播する音の減衰度合いをより向上させて防音防振用の真空パネルとしての機能を有すると共に、対向する側板間内に配設された筐体（カプセル）を曲面を有するシェル構造としているので外力に対して潰れて変形することのない真空パネルを提供することを目的とする。
【０００７】
【課題を解決するための手段】
上記の目的を達成するため、本発明の請求項１に記載の発明は、対向する側板間に真空で中空の筐体（カプセル）を多数隣接して配設したことを特徴とするもので、また、本発明の請求項２に記載の発明は、対向する側板間に両面構造を有し内部が真空で中空の筐体（カプセル）を多数隣接して配設したことを特徴とするもので、また、本発明の請求項３に記載の発明は、筐体（カプセル）を曲面である天部と枠部とで構成したことを特徴とするもので、また、本発明の請求項４に記載の発明は、曲面である天部の頂点部は対向する側板の内面と点または線で接していることを特徴とするもので、また、本発明の請求項５、６、７に記載の発明は、曲面である天部の曲面は楕円放物シェル構造又は球面構造又は円筒形構造であることを特徴とするもので、また、本発明の請求項８及び請求項９に記載の発明は、筐体（カプセル）の曲面である天部と枠部は金属製又は合成樹脂製であることを特徴とするものである。
【０００８】
【発明の実施の形態】
以下、本発明の本発明の真空パネルの実施の形態を図１〜５によって説明する。図１は、本発明の真空パネルの対向する側板間に配設される筐体（カプセル）の外観図、図２は、図１の筐体（カプセル）の上半部の外観図、図３は、図１の筐体（カプセル）の下半部の外観図、図４は、本発明の真空パネルの縦断面図、図５は、本発明の真空パネルの作用模式図である。
【０００９】
符号１は筐体（カプセル）で、鉄又はアルミの板の絞り加工により成形又は合成樹脂を成形して天部４と枠部５とで構成された上半部２と下半部３とからなり、この上半部２と下半部３の枠部５、５同士が溶接または接着されて内部が中空となっている中空の筐体（カプセル）である。上半部２、下半部３を構成する天部４は曲面を有しており、例えば、球面構造、円筒形構造、楕円放物シェル構造等の曲面構造をしている。また、図示されていないが、上半部２又は下半部３には空気排出孔が形成されており、この空気排出孔から内部の空気が抜き取られた後、該空気排出孔は閉塞され、筐体（カプセル）の内部は中空で真空状態の筐体（カプセル）となっている。なお、図１、２及び３には筐体（カプセル）１の平面視形状が四角形状のものが示されているが、互いに隣接して配設された筐体（カプセル）１の枠部５同士が互いに接するようにして配設される形状であれば、他の形状、例えば、平面視形状が三角形、五角形、六角形等の多角形状あってもよい。
【００１０】
そして、このように構成された真空で中空の筐体（カプセル）１を、対向側面に接着剤を塗布した側板６、６間内に互いの隣接する筐体（カプセル）１の枠部５、５同士が接するように縦横に配設され、この互いに隣接して縦横に配設された各筐体（カプセル）１、１、…の天部の頂点部８、８、…は、両側板６、６の対向側面に点状又は線状に接着される。また、側板６、６間内に配設された各筐体（カプセル）１、１、…の枠部５、５、…の最外側を枠部材７、７、７、７で囲むと共に、該枠部材７の上下部を側板６、６の対向側面の四周端部に接着されて真空パネル１０が構成される。なお、この四辺の枠部材７は真空パネル１０の用途、例えば、建物の壁体・天井、防音ドア、防音壁、各種機器の筐体のパネルとして使用される場合には、パネルとしての剛性の必要性から必要であるが、自動車の車体パネルとして使用される場合には必ずしも必要ではない。また、各筐体（カプセル）１、１と側板６とで形成される空間部は、空間そのままであっても良いが、発泡樹脂材等を充填してもよい。また、側板６と筐体（カプセル）１の天部の頂点部８との間に接着機能を有するシート体を介して接着しても良い。
【００１１】
次に、図５によって本発明の真空パネルの作用について説明する。音源から音エネルギーＴが音源側であるＡ側の側板６に伝達すると、音源Ａ側の側板６は音エネルギーＴによって振動し、この振動によるＡ側の側板６の振動は、Ａ側の側板６−筐体（カプセル）１の天部の頂点部８−天部の肩部９−枠部５−天部の肩部９−筐体（カプセル）１の天部の頂点部８と云う経路を経て受音側となるＢ側の側板６へと伝達しながらＢ側の側板６を振動させ、このＢ側の側板６の振動がｔとなってＢ側で受音される。
【００１２】
このとき、音源側からの音エネルギーＴは、音源Ａ側の側板６で振動エネルギーに変換され、音源Ａ側の側板６の筐体（カプセル）１の曲面である天部の頂点部８から天部の肩部９を通って枠部５−天部の肩部９−受音側の筐体（カプセル）１の天部の頂点部８から受音側の側板６へと振動エネルギーが伝達し、該側板６で再び音エネルギーに変換される。しかしながら、音源Ａ側の筐体（カプセル）１の天部の頂点部８から受音側の筐体（カプセル）１の天部の頂点部８への伝達距離は２＊Ｌ２となり、対向する両側板６、６間を直接伝達するのに比べ、伝達距離もＬ１＜＜２＊Ｌ２と伝達距離が長くなることで、音源側からの音エネルギーは伝達経路中で減衰し、音源側からの音エネルギーＴ＞＞Ｂ側の側板６の振動による音エネルギーｔと、音エネルギーＴは筐体（カプセル）１の天部の肩部９を通ることでより減衰された音エネルギーｔとなる。このため、本発明の真空パネルを建物の壁パネルとして用いた場合、屋外の騒音や走行音、楽器等の室内音などを室内への入り込みや、室内の音が室外へ伝播するのをより減少させることができる、と云う効果を奏する。
【００１３】
また構造的にも、例え本発明の真空パネルの側板に押圧力が作用したとしても、本発明の真空パネル内に配置された筐体（カプセル）は、曲面を有するシェル構造のカプセルとしているので、外力に対して潰れて変形することがなく、このため、本発明の真空パネルの側板が押圧力により凹むことなく構造的にも丈夫である。また、本発明は、パネル内に、内部を真空とした筐体（カプセル）を多数配置することで、対向する側板の間に細幅板又は線材等を挟持して間隔保持材とした従来公知の真空パネルのように対向する側板自体を真空体の殻体としていないため、対向する側板の表面が凹んで歪み変形することがなく、意匠の面からもパネルとして美観を損ねることがないと云う意匠面の効果も有している。
【００１４】
【発明の効果】
以上説明したように、本発明の真空パネルでは、対向する側板間内に真空で中空で天部の肩部を曲面構造とした筐体（カプセル）を互いの隣接する筐体（カプセル）の枠部同士が接するように縦横に多数配設するとともに、該筐体（カプセル）の曲面構造とした天部の頂点部が、対向する側板の内面と点または線で接しているので、音源側の側板と筐体（カプセル）の天部の頂点部との接触面積が小さく、音源側からの音は、音源側の側板と接する筐体（カプセル）の天部の頂点部から天部の肩部を通り枠部から他方側の天部の肩部、そして、受音側の側板と接する筐体（カプセル）の天部の頂点部、受音側の側板へと伝達し、音の伝達距離が長くなることで、減衰された音となって受音側に伝わることになる。
【００１５】
また、対向する側板間内に多数配設された曲面構造の筐体（カプセル）は曲面を有するシェル構造のカプセルであり、互いの隣接する筐体（カプセル）の枠部同士が接しているので、例え真空パネルの側板がわに押圧力が作用したとしても、本発明の真空パネル内に配置された筐体（カプセル）は、外力に対して潰れて変形することがなく、このため、真空パネルの側板が押圧力により凹むことなく構造的にも丈夫であると云う効果を有するとともに、本発明は、パネル内に、内部を真空とした筐体（カプセル）を多数配置することで、対向する側板の間に細幅板又は線材等を挟持して間隔保持材とした従来公知の真空パネルのように対向する側板自体を真空体の殻体としていないため、対向する側板の表面が凹んで歪み変形することがなく、意匠の面からもパネルとして美観を損ねることがないと云う意匠面の効果も有している。
【図面の簡単な説明】
【図１】本発明の真空パネルの対向する側板間に配設される筐体（カプセル）の外観図、
【図２】図１の筐体（カプセル）の上半部の外観図、
【図３】図１の筐体（カプセル）の下半部の外観図、
【図４】本発明の真空パネルの縦断面図、
【図５】本発明の真空パネルの作用模式図、
【図６】従来公知の真空パネルの断面図。
【符号の説明】
１  筐体（カプセル）、  ２  上半部、  ３  下半部、  ４  天部、
５  枠部、  ６  側板、  ７  枠部材、  ８  天部の頂点部、
９  天部の肩部、  １０  真空パネル、  １１  外板、  １２  外板、
１３  間隔保持材、  １４  密封材。
【図１】
2004162403.tif 000003
【図２】
2004162403.tif 000004
【図３】
2004162403.tif 000005
【図４】
2004162403.tif 000006
【図５】
2004162403.tif 000007
【図６】
2004162403.tif 000008